(57)【要約】【課題】排泄介護に伴う精神的負担および肉体的負担を軽減し、排泄介護を衛生的に実行しうる臀部洗浄具を提供する。【解決手段】手状基体部１０を含む臀部洗浄具であって、手状基体部１０は、指部１１と、掌部１２とを有し、弾性を有する樹脂材料を用いて形成されている。指部１１は、関節に相当する部分で曲げ伸ばし可能であり、掌部１２と一体的に連続している。【選択図】図１
2013027471.tif 000002
【特許請求の範囲】
【請求項１】
手状基体部を含む臀部洗浄具であって、
前記手状基体部は、指部と、掌部とを有し、弾性を有する樹脂材料を用いて形成されており、
前記指部は、関節に相当する部分で曲げ伸ばし可能であり、掌部と一体的に連続している、
臀部洗浄具。
【請求項２】
請求項１に記載された臀部洗浄具であって、
前記手状基体部は、蓄熱性を有する樹脂材料を用いて形成されている、
臀部洗浄具
【請求項３】
請求項１又は２に記載された臀部洗浄具であって、さらに複数の骨状支持部を含み、
前記複数の骨状支持部は、前記手状基体部の内部に埋設され、前記関節に相当する部分で曲げ伸ばし可能に連結されている、
臀部洗浄具
【請求項４】
請求項１乃至３の何れかに記載された臀部洗浄具であって、さらに被覆部を含み、
前記被覆部は、非透水性を有する材料で構成され、前記手状基体部を着脱可能に覆っている、
臀部洗浄具。
【発明の詳細な説明】
【技術分野】
【０００１】
本発明は、臀部洗浄具に関する。
【背景技術】
【０００２】
傷病者や障害者、及び、高齢者等の排泄介護では、排泄により肛門の周囲に付着した排泄物を、特許文献１記載の温水洗浄便座、又は、特許文献２記載の携帯用局部洗浄器により洗い流した後、便所紙や布巾（布巾等）を用いて水滴を拭き取る作業が行われる。
【０００３】
ところで、この種の排泄介護では、衛生上の観点から、排泄物が介護する者（介護者）の手に付着しないように注意しなければならない。これに対し、従来の布巾等を用いた拭き取り作業は素手で行われる傾向にあり、水滴とともに拭き取られた排泄物が布巾等を介して介護者の手に付着する不具合が生じ、感染症を発症する原因となっている。
【０００４】
また、介護される者（要介護者）が高齢者の場合、高齢者は加齢に伴って臀部の肉が垂れ下がっているから、介護者が手に持った布巾を要介護者の臀部の奥に差し込み、水滴等を拭き取る動作が乱雑になる傾向にある。その結果、要介護者が痛みを訴えるなど肉体的な負担が生じる。
【０００５】
さらに、この種の介護作業において、排泄介護は、肉体的な負担のみならず、精神的な負担も大きいことが知られている。特に近年の少子高齢化や核家族化の進行に伴い、介護者と、要介護者とが、互いに家族であるケースが増えている。このようなケースでは、介護者が排泄介護を行う際に感じる要介護者の臀部の触感、及び、要介護者が排泄介護を受ける際に感じる介護者の手の触感が、介護者及び要介護者の双方に精神的な負担となる。
【０００６】
上述した問題は、特許文献１及び２に開示されている発明では解決することができない。
【先行技術文献】
【特許文献】
【０００７】
【特許文献１】特開２０１０−２５５３６６号公報
【特許文献２】特開２００８−２９５８４３号公報
【発明の概要】
【発明が解決しようとする課題】
【０００８】
本発明の課題は、排泄介護に伴う精神的負担および肉体的負担を軽減しうる臀部洗浄具を提供することである。
【０００９】
本発明のもう１つの課題は、排泄介護を衛生的に実行しうる臀部洗浄具を提供することである。
【課題を解決するための手段】
【００１０】
上述した課題を解決するため、本発明に係る臀部洗浄具は、手状基体部を含む。前記手状基体部は、指部と、掌部とを有し、弾性を有する樹脂材料を用いて形成されている。前記指部は、関節に相当する部分で曲げ伸ばし可能であり、掌部と一体的に連続している。
【００１１】
上述したように、本発明に係る臀部洗浄具を構成する手状基体部は、指部と、掌部とを有し、前記指部は、関節に相当する部分で曲げ伸ばし可能であり、掌部と一体的に連続している。この構造によると臀部洗浄具は、人間の手と同じ構造を有しているから、介護者は、臀部洗浄具を自分の手の替わりとして保持しながら、臀部洗浄具を介して排泄介護を行うことが可能となる。従って、介護者は、要介護者の臀部の触感を直接感じることはなく、泄介護に伴う介護者の精神的負担を軽減することができる。
【００１２】
他方、介護者が、臀部洗浄具を介して排泄介護を行うことにより、要介護者もまた、排泄介護を受けている際に感じる介護者の手の触感を感じることはなくなる。従って、排泄介護に伴う要介護者の精神的負担を軽減することができる。
【００１３】
さらに、介護者は、臀部洗浄具を自分の手の替わりとして保持しながら、臀部洗浄具を介して排泄介護を行うことが可能となることにより、排泄物が介護者の手に付着する不具合を回避することができる。従って、排泄介護を衛生的に実行することができる。
【００１４】
臀部洗浄具を構成する手状基体部は、弾性を有する樹脂材料を用いて形成されているから、要介護者の肉体的な負担を軽減することができる。しかも、手状基体部を構成する指部は、関節に相当する部分で曲げ伸ばし可能である。従って、排泄介護の際に要介護者が痛みを訴えるなどしたときには、要介護者とコミニュケーションを取りながら、指部を適宜曲げ伸ばしすることにより、要介護者の肉体的負担を軽減することができる。
【発明の効果】
【００１５】
以上述べたように、本発明によれば、次のような効果を得ることができる。
（１）排泄介護に伴う精神的負担および肉体的負担を軽減しうる臀部洗浄具を提供することができる。
（２）排泄介護を衛生的に実行しうる臀部洗浄具を提供することができる。
【００１６】
本発明の他の目的、構成及び利点については、添付図面を参照し、更に詳しく説明する。添付図面は、単に、例示に過ぎない。
【図面の簡単な説明】
【００１７】
【図１】本発明の一実施形態に係る臀部洗浄具の平面図である。
【図２】図１の臀部洗浄具の右側面図である。
【図３】図２の臀部洗浄具について動作後の状態を示す側面図である。
【図４】図１乃至図３の臀部洗浄具の使用方法について一部を省略して示す図である。
【図５】本発明のもう一つの実施形態に係る臀部洗浄具について一部を省略して示す平面図である。
【図６】図４の臀部洗浄具について一部を省略して示す側面図である。
【図７】本発明の更にもう一つの実施形態に係る臀部洗浄具の部分断面図である。
【図８】本発明の更にもう一つの実施形態に係る臀部洗浄具の部分断面図である。
【発明を実施するための形態】
【００１８】
図１乃至図８において同一符号は、同一又は対応部分を示すものとする。図１乃至図３の臀部洗浄具は、傷病者、障害者及び高齢者等の排泄介護で用いられるものであって、周知の樹脂材料を一体成形したものである。樹脂材料としては、人が触ったときに人体と同じ皮膚感覚（触感）、又は、人体に近い触感が得られる程度の弾性又は可撓性の何れかを有するものが好ましい。換言すれば、上述した触感の再現されるものであれば、天然樹脂、合成樹脂、天然ゴム、合成ゴムのいずれも用いることが可能である。一例として、用いられる合成樹脂材料としては、ポリエチレン（ＰＥ）、ポリプロピレン（ＰＰ）、ポリスチレンまたはスチロール樹脂（ＰＳ）、塩化ビニル樹脂（ＰＶＣ）などの熱可塑性樹脂が好ましい。図示の臀部洗浄具は、一見、手袋と類似するように見えるが、手袋との決定的な相違点は、手指を挿入するための袋状空間を持たず、全体として中身の詰まった中実構造になっている点にある。
【００１９】
また、臀部洗浄具の樹脂材料には、蓄熱性を有する樹脂材料を用いて形成することができる。本明細書において「蓄熱性」とは、例えば熱湯に漬けることにより、熱が樹脂内に一定期間蓄積され、人が触ったときに温かく感じるものをいう。
【００２０】
次に、図１乃至図３の臀部洗浄具の各部の構造について説明すると、臀部洗浄具は、複数の指部１１と、掌部１２とを有している。指部１１は、関節に相当する部分１３で曲げ伸ばし可能であり、掌部１２と一体的に連続している。違う言葉で表現すれば、臀部洗浄具は、人体の手首から先の部分（手）と同一の外形形状及び構造に成形されており、５本の指部１１のそれぞれが、相互に独立し非連続の状態となっている。例えば図３に示すように、複数の指部１１のうち、中指に相当する指部１１は、第一関節に相当する部分（１３）で折り曲げして、内側方向に起き上がらせることができる。さらにいえば、指部１１は、掌部１２との関節に相当する部分１３でも曲げ伸ばし可能である。
【００２１】
図４は、図１乃至図３の臀部洗浄具の使用方法について一部を省略して示す図である。排泄介護では、排泄により肛門の周囲に付着した排泄物を、温水洗浄便座、又は、携帯用局部洗浄器により洗い流した後、布巾３を用いて水滴を拭き取る作業が行われる。
【００２２】
図４は、上述した拭き取り作業を示すものであり、図示しない介護者は、臀部洗浄具１の内側であって、要介護者の臀部２に向かい合う面側に布巾３を載置し、臀部洗浄具１を手で持ちながら臀部２の奥に差し込み、載置した布巾３で水滴等を拭き取る作業を行う。拭き取り作業後は、布巾３を廃棄し、又は、布巾３を洗濯する。
【００２３】
ところで、この種の排泄介護では、衛生上の観点から、排泄物が介護者の手に付着しないように注意しなければならない。これに対し、従来の拭き取り作業は素手で行われる傾向にあり、水滴とともに拭き取られた排泄物が布巾３等を介して介護者の手に付着する不具合が生じ、感染症を発症する原因となっている。
【００２４】
また、要介護者が高齢者の場合、高齢者は加齢に伴って臀部２の肉が垂れ下がっているから、介護者が手に持った布巾３を要介護者の臀部２の奥に差し込み、水滴等を拭き取る動作が乱雑になる傾向にある。その結果、要介護者が痛みを訴えるなど肉体的な負担が生じる。
【００２５】
さらに、この種の介護作業において、排泄介護は、肉体的な負担のみならず、精神的な負担も大きいことが知られている。特に近年の少子高齢化や核家族化の進行に伴い、介護者と、要介護者とが、互いに家族であるケースが増えている。このようなケースでは、介護者が排泄介護を行う際に感じる要介護者の臀部２の触感、及び、要介護者が排泄介護を受ける際に感じる介護者の手の触感が、介護者及び要介護者の双方に精神的な負担となる。
【００２６】
図１乃至図４を参照して説明した臀部洗浄具１の構造によると、上述した従来の問題を全て解消することができる。すなわち、臀部洗浄具１は、触ったときに人体と同程度の触感が得られる弾性又は可撓性の何れかを有する樹脂材料を用いて形成されている。指部１１は、関節に相当する部分１３で曲げ伸ばし可能であり、掌部１２と一体的に連続している。この構造によると臀部洗浄具１は、人間の手と同じ構造を有しているから、介護者は、臀部洗浄具１を自分の手の替わりとして保持しながら、載置した布巾３で水滴等を拭き取る作業を行うことが可能となる。換言すれば、介護者は、要介護者の臀部２の触感を手で直接感じることはなく、臀部洗浄具１に載置した布巾３により排泄介護を行うことが可能となる。従って、泄介護に伴う介護者の精神的負担を軽減することができる。
【００２７】
他方、介護者が、臀部洗浄具１を介して排泄介護を行うことにより、要介護者もまた、排泄介護を受けている際に感じる介護者の手の触感を感じることはなくなる。従って、排泄介護に伴う要介護者の精神的負担を軽減することができる。
【００２８】
さらに、介護者は、臀部洗浄具１を自分の手の替わりとして保持しながら、臀部洗浄具1を介して排泄介護を行うことが可能となることにより、排泄物が介護者の手に付着する不具合を回避することができる。例えば、臀部洗浄具１に載置した布巾３で水滴等の拭き取り作業を行った場合、拭き取り作業後の布巾３は、直接手で触れることなく廃棄されるから、排泄介護を衛生的に実行することができる。
臀部洗浄具１を構成する手状基体部１０は、触ったときに人体と同程度の触感が得られる弾性又は可撓性の何れかを有する樹脂材料を用いて形成されているから、要介護者の肉体的な負担を軽減することができる。しかも、手状基体部１０を構成する指部１１は、関節に相当する部分１３で曲げ伸ばし可能であるから、排泄介護の際に要介護者が痛みを訴えるなどしたときには、介護者は、その場で要介護者とコミニュケーションを取りながら、指部１１を適宜曲げ伸ばしすることにより、要介護者の肉体的負担を軽減することができる。
【００２９】
図５は本発明のもう一つの実施形態に係る臀部洗浄具について一部を省略して示す平面図、図６は図４の臀部洗浄具について一部を省略して示す側面図である。図５及び図６の臀部洗浄具は、図１乃至図４の臀部洗浄具と基本的に同一の構造を有する手状基体部１０に、被覆部１４を組み合わせた点に特徴を有している。
【００３０】
図５及び図６の臀部洗浄具は、手状基体部１０と、被覆部１４とを含む。手状基体部１０は、指部１１と、掌部１２とを有し、指部１１は、関節に相当する部分１３で曲げ伸ばし可能であり、掌部１２と一体的に連続している。
【００３１】
手状基体部１０は、触ったときに人体と同程度の触感が得られる弾性を有する樹脂材料を用いて形成されている。用いられる樹脂材料としては、図１乃至図４で説明したものを用いることができる。さらに図５及び図６において、手状基体部１０はゲル状の樹脂材料で構成されている。本明細書において「ゲル」とは、「コロイド溶液が固まって、半固体ないし固体の状態になったもの」をいう。
【００３２】
被覆部１４は、非透水性を有する材料で構成され、手状基体部１０の全体を着脱可能に覆っている。被覆部１４としては、いわゆるゴム手袋を用いることができる。被覆部１４として、ゴム手袋を用いる場合、手の差込口を例えば縛って閉塞しておくことが好ましい。
【００３３】
図５及び図６の臀部洗浄具によっても、図１乃至図４を参照して説明した利点を全て有することができる。さらに、図５及び図６の臀部洗浄具は、被覆部１４によって手状基体部１０の全体が着脱可能に覆われているから、排泄介護の拭き取り作業後に被覆部１４を手状基体部１０から剥ぎ取って廃棄し、使い捨てとすることにより、排泄介護を衛生的に実行しうる臀部洗浄具を提供することができる。
【００３４】
また、図５及び図６の臀部洗浄具は、被覆部１４によって手状基体部１０の全体が覆われているから、手状基体部１０の耐久性、耐衝撃性、耐摩耗性、耐水性、耐薬品性を向上することができる。その結果、例えば手状基体部１０が拭き取り作業中の摩擦により破損する不具合を回避することができる。
【００３５】
さらに、図５及び図６の臀部洗浄具は、被覆部１４によって手状基体部１０の全体が覆われているから、手状基体部１０をゲル状の樹脂材料で構成したとしても、手状基体部１０の形状及び構造を保持することができるとともに、手状基体部１０が拭き取り作業中の摩擦により破損する不具合を回避することができる。
【００３６】
図７は本発明の更にもう一つの実施形態に係る臀部洗浄具の部分断面図である。図７の臀部洗浄具は、手状基体部１０の内部に骨状支持部１５を有する以外は、図５乃至図６の臀部洗浄具と基本的に同一の構造を有している。以下、相違点を中心に説明する。
【００３７】
図７の臀部洗浄具は、複数の骨状支持部１５を含む。骨状支持部１５は、天然樹脂、合成樹脂のほか、繊維強化プラスチック、金属材料や木材などを用いることができる。もっとも、骨状支持部１５は、手の骨に相当するものであって、樹脂材料で成形された手状基体部１０の内部に埋設されていることにより、手状基体部１０を支えるものである。従って、骨状支持部１５としては、機械的強度の観点からは剛性が高い素材ものが好ましい。
図７からは必ずしも明らかではないが、臀部洗浄具は、人体の手首から先の部分（手）と同一の形状及び構造に成形されており、複数の骨状支持部１５は、関節に相当する部分１３で曲げ伸ばしに連結されており、且つ、曲げた位置または伸ばした位置で停止させることができる。
【００３８】
図７の臀部洗浄具によっても、図１乃至図６を参照して説明した利点を全て有することができる。図７の臀部洗浄具において、手状基体部１０は、複数の骨状支持部１５の関節に相当する部分１３で曲げ伸ばしに連結されており、且つ、曲げた位置または伸ばした位置で停止させることができる。よって、排泄介護の際に要介護者が痛みを訴えるなどしたときには、要介護者とコミニュケーションを取りながら、指部１１を適宜曲げ伸ばしすることにより、肉体的負担を軽減することができる。
【００３９】
図７の臀部洗浄具は、複数の骨状支持部１５が、樹脂材料で成形された手状基体部１０の内部に埋設されているから、手状基体部１０の形状及び構造を保持することができる。従って、介護者が臀部洗浄具を手で保持して拭き取り作業を行う際に持ちやすくなり、排泄介護に伴う介護者の精神的負担および肉体的負担を軽減することができる臀部洗浄具を提供することができる。
【００４０】
図７の臀部洗浄具は、複数の骨状支持部１５が、樹脂材料で成形された手状基体部１０の内部に埋設されているから、手状基体部１０が拭き取り作業中の摩擦により破損する不具合を回避することができる。さらに、折り曲げ調節した指部１１が、拭き取り作業中の摩擦により延びてしまう不具合を回避することができる。
【００４１】
図８は、本発明の更にもう一つの実施形態に係る臀部洗浄具の部分断面図である。図８の臀部洗浄具は、ハンドル部１６を有する以外は、図７の臀部洗浄具と基本的に同一の構造を有している。ハンドル部１６は、骨状支持部１５に結合されており、手状基体部１０および被覆部１４の外部に突出している。ハンドル部１６は、好ましくはそのハンドル操作により、指部１１の開閉を制御できる。
【００４２】
図８の臀部洗浄具によっても、図７を参照して説明した利点を全て有することができる。さらにハンドル部１６を有することにより、介護者が拭き取り作業を行う際に持ちやすくなる。従って、排泄介護に伴う介護者の精神的負担および肉体的負担を軽減することができる臀部洗浄具を提供することができる。
【００４３】
以上、好ましい実施例を参照して本発明の内容を具体的に説明したが、本発明の基本的技術思想及び教示に基づいて、当業者であれば、種種の変形態様を採り得ることは自明である。例えば、図１乃至図８の臀部洗浄具は、傷病者、障害者及び高齢者等の入浴介護などにも用いることができる。
【００４４】
また、図１乃至図８の臀部洗浄具は、人体の構造に忠実に５本指構造となっているが、例えば指部１１の設置数は作業効率や、排泄介護に伴う精神的負担および肉体的負担を低減する観点から適宜増減させることができる。
【符号の説明】
【００４５】
１    臀部洗浄具
１０  手状基体部
１１  指部
１２  掌部
１３  関節に相当する部分
１４  被覆部
１５  骨状支持部
【図１】
2013027471.tif 000003
【図２】
2013027471.tif 000004
【図３】
2013027471.tif 000005
【図４】
2013027471.tif 000006
【図５】
2013027471.tif 000007
【図６】
2013027471.tif 000008
【図７】
2013027471.tif 000009
【図８】
2013027471.tif 000010